(57)【要約】      （修正有）【課題】インクが乾燥して固形物を生じることによりインクジェットヘッドが目詰まりしても、これを溶解除去できる洗浄液を提供する。【解決手段】インクジェットプリンタに付着したインクジェットインクの固形物に対して、下記式（１）で表される化合物と、水とを含有する洗浄液を接触させることにより、固形物を溶解除去する。2019195998.tif 000008［式中、Ｒは直鎖状又は分岐鎖状のＣ１−Ｃ５炭化水素基を表し、Ｌ、ｍ、及びｎは平均繰り返し数を表し、Ｌ≧０、ｍ≧０、ｎ＞０、かつ、（Ｌ＋ｍ）／ｎ＝１．５／１〜１／１．５である。］【選択図】なし【特許請求の範囲】
【請求項１】
下記式（１）で表される化合物と、水とを含有する洗浄液。
【化１】
2019195998.tif 000007
［式中、Ｒは直鎖状又は分岐鎖状のＣ１−Ｃ５炭化水素基を表し、Ｌ、ｍ、及びｎは平均繰り返し数を表し、Ｌ≧０、ｍ≧０、ｎ＞０、かつ、（Ｌ＋ｍ）／ｎ＝１．５／１〜１／１．５である。］
【請求項２】
前記式（１）で表される化合物の含有率が０．０１質量％〜５質量％である請求項１に記載の洗浄液。
【請求項３】
さらに、１種類以上のグリコールエーテルを含有する請求項１又は２に記載の洗浄液。
【請求項４】
グリコールエーテルの含有率が０．１質量％〜１５質量％である請求項３に記載の洗浄液。
【請求項５】
さらに、グリコールエーテル以外の１種類以上の有機溶剤を含有する請求項１又は２に記載の洗浄液。
【請求項６】
前記有機溶剤の含有率が０．１質量％〜３５質量％である請求項５に記載の洗浄液。
【請求項７】
請求項１〜６に記載の洗浄液の、インクジェットプリンタの洗浄における使用。
【請求項８】
インクジェットプリンタに付着したインクジェットインクの固形物に対して請求項１〜６に記載の洗浄液を接触させることにより、前記固形物を溶解除去するインクジェットプリンタの洗浄方法。
【請求項９】
インクジェットヘッドに上記洗浄液を充填し、インク流路内に上記洗浄液を通液することにより、上記固形物を溶解除去する請求項８に記載の洗浄方法。
【発明の詳細な説明】
【技術分野】
【０００１】
本発明は、洗浄液、特にインクジェットプリンタに用いられる洗浄液、及びそれを用いたインクジェットプリンタの洗浄方法に関する。
【背景技術】
【０００２】
カラー印刷方法の中で、インクジェットプリンタによる印刷方法（インクジェット印刷方法）は、代表的方法の１つである。この方法は、インクの小滴を発生させ、これを紙等の基材に付着させ印刷を行う方法である。
【０００３】
近年、インクジェット印刷方法は、産業用途としての応用が進んでいる。インクジェットインクが含有する着色剤は、水溶性の着色剤と水不溶性の着色剤とに大別される。これらのうち、顔料を代表とする水不溶性の着色剤は、水溶性の着色剤と比較して、一般に各種の堅牢性に優れる。このため、産業用のインクジェットインクは、水不溶性の着色剤を含有することが多い。
【０００４】
産業用途に用いられる基材は、各種の紙、繊維、フィルムなど多様化しており、非吸収性基材又は難吸収性基材も多い。非吸収性基材又は難吸収性基材の印刷に用いられるインクとしては、非水系の溶剤インク、硬化性インク等が知られている。しかし、自然環境、生体等に対する安全性の観点から、非吸収性基材又は難吸収性基材にも印刷が可能な水性インクが強く要望されている。そのような水性インクは、水不溶性の着色剤、及び分散剤を含有し、さらに、耐擦過性、耐溶剤性等を向上させる目的で、一般にポリマー、ワックス等も含有する。このため、そのような水性インクは固形分の含有量が多く、極めて乾燥しやすい。インクの乾燥は、長期の保管、高温又は低湿度環境での保管等において、インクジェットヘッドのノズル部やインク流路内での固形物の形成を生じ、目詰まりが発生しやすい。このようにインクジェットヘッド内で目詰まりが生じると、インクの吐出が安定して行えず、画像濃度が低下するという問題を招く。そのため、一般に産業用インクジェットヘッドには、ノズル部にキャップ部材を装備し、インクの乾燥を防止する等の工夫がされている。しかし、それでもなお、保管の環境によっては、インクの乾燥を完全に回避することは難しかった。
【０００５】
上記のような状況から、インクが乾燥して固形物を生じることによりインクジェットヘッドが目詰まりしても、これを溶解除去できる洗浄液（クリーニング液、メンテナンス液等とも称される）が強く要望されている。特許文献１〜６には、インクジェットプリンタの洗浄に用いられる洗浄液が開示されている。
【先行技術文献】
【特許文献】
【０００６】
【特許文献１】特許第５０２７４４４号公報
【特許文献２】特許第４６４９８２３号公報
【特許文献３】特許第４３９７２２０号公報
【特許文献４】特許第５６１８２５０号公報
【特許文献５】特許第５８１９２０６号公報
【特許文献６】特許第５８１９２０５号公報
【発明の概要】
【発明が解決しようとする課題】
【０００７】
本発明は、着色インクが乾燥して固形物を生じたときでも、その固形物を溶解除去できる洗浄液、及びそれを用いたインクジェットプリンタの洗浄方法を提供することを課題とする。
【課題を解決するための手段】
【０００８】
上記課題を解決するための具体的な手段には、以下の実施態様が含まれる。
１）
下記式（１）で表される化合物と、水とを含有する洗浄液。
【０００９】
【化１】
2019195998.tif 000002
【００１０】
［式中、Ｒは直鎖状又は分岐鎖状のＣ１−Ｃ５炭化水素基を表し、Ｌ、ｍ、及びｎは平均繰り返し数を表し、Ｌ≧０、ｍ≧０、ｎ＞０、かつ、（Ｌ＋ｍ）／ｎ＝１．５／１〜１／１．５である。］
２）
前記式（１）で表される化合物の含有率が０．０１質量％〜５質量％である上記１）に記載の洗浄液。
３）
さらに、１種類以上のグリコールエーテルを含有する上記１）又は２）に記載の洗浄液。
４）
グリコールエーテルの含有率が０．１質量％〜１５質量％である上記３）に記載の洗浄液。
５）
さらに、グリコールエーテル以外の１種類以上の有機溶剤を含有する上記１）又は２）に記載の洗浄液。
６）
前記有機溶剤の含有率が０．１質量％〜３５質量％である上記５）に記載の洗浄液。
７）
上記１）〜６）に記載の洗浄液の、インクジェットプリンタの洗浄における使用。
８）
インクジェットプリンタに付着したインクジェットインクの固形物に対して上記１）〜６）に記載の洗浄液を接触させることにより、前記固形物を溶解除去するインクジェットプリンタの洗浄方法。
９）
インクジェットヘッドに上記洗浄液を充填し、インク流路内に上記洗浄液を通液することにより、上記固形物を溶解除去する上記８）に記載の洗浄方法。
【発明の効果】
【００１１】
本発明によれば、着色インクが乾燥して固形物を生じたときでも、その固形物を溶解除去できる洗浄液、及びそれを用いたインクジェットプリンタの洗浄方法を提供することができる。
【発明を実施するための形態】
【００１２】
本明細書においては、特に断りの無い限り「％」及び「部」は、いずれも質量基準で記載する。
【００１３】
＜洗浄液＞
本実施形態に係る洗浄液は、下記式（１）で表される化合物と、水とを含有する。式（１）中、Ｒは直鎖状又は分岐鎖状のＣ１−Ｃ５炭化水素基を表し、Ｌ、ｍ、及びｎは平均繰り返し数を表し、Ｌ≧０、ｍ≧０、ｎ＞０、かつ、（Ｌ＋ｍ）／ｎ＝１．５／１〜１／１．５である。
【００１４】
【化１】
2019195998.tif 000003
【００１５】
以下、本実施形態に係る洗浄液が含有する成分について詳細に説明する。
【００１６】
［式（１）で表される化合物］
上記式（１）中、Ｒで表される炭化水素基としては、例えば、メチレン、エチレン、プロピレン、ブチレン、ペンチレン等の直鎖状のアルキレン基；１−メチル−１，４−ブタンジイル、２−メチル−１，４−ブタンジイル、３−メチル−１，４−ブタンジイル、４−メチル−１，４−ブタンジイル、１−メチル−１，３−プロパンジイル、２−メチル−１，３−プロパンジイル、３−メチル−１，３−プロパンジイル、１−メチル−１，２−エタンジイル、２−メチル−１，２−エタンジイル等の分岐鎖状のアルキレン基；などが挙げられる。洗浄性能の高さの点から、Ｒの炭素数はＣ２−Ｃ５であることが好ましく、Ｃ３−Ｃ５であることがより好ましく、Ｃ５であることがさらに好ましい。また、洗浄性能の高さの点から、Ｒは分岐鎖状の炭化水素基であることが好ましい。
【００１７】
上記式（１）中、Ｌ、ｍ、及びｎは、洗浄性能の高さの点から、（Ｌ＋ｍ）／ｎが１．４／１〜１／１．５であることが好ましく、より好ましくは１．４／１〜１／１．４、さらに好ましくは１．３／１〜１／１．３である。
【００１８】
また、Ｌ、ｍ、及びｎは、洗浄性能の高さの点から、Ｌが０であり、ｍ／ｎが１．３／１〜１／１．３であることが好ましい。
【００１９】
上記式（１）で表される化合物の数平均分子量は、通常１００〜５０００であり、好ましくは２００〜４０００、より好ましくは２５０〜３５００、さらに好ましくは２５０〜２０００である。
【００２０】
上記式（１）で表される化合物は、公知の方法により合成することができる。また、市販品としても入手できる。市販品の具体例としては、例えば、ＥＶＯＮＩＣ社製のＴＥＧＯ  Ｗｅｔ  ５００、５０５、５１０等が挙げられる。ＴＥＧＯ  Ｗｅｔ  ５００、５０５、５１０のＲ、Ｌ、ｍ、ｎ、及びＬＣ−ＭＳ測定による数平均分子量は以下のとおりである。
ＴＥＧＯ  Ｗｅｔ  ５００
Ｒ：２−メチル−１，４−ブタンジイル基、Ｌ＝０、ｍ／ｎ≒１．０／１．０、数平均分子量：約３００〜１０００
ＴＥＧＯ  Ｗｅｔ  ５０５
Ｒ：２−メチル−１，４−ブタンジイル基、ｍ＝０、L／ｎ≒１．０／１．３、数平均分子量：約３００〜１０００
ＴＥＧＯ  Ｗｅｔ  ５１０
Ｒ：２−メチル−１，４−ブタンジイル基、Ｌ＝０、ｍ／ｎ≒１．３／１．０、数平均分子量：約３００〜１０００
【００２１】
洗浄液の総質量中における上記式（１）で表される化合物の総含有率は、０．０１％〜５％であることが好ましく、より好ましくは０．０２％〜４％、さらに好ましくは０．０５％〜３％である。
【００２２】
［水］
本実施形態に係る洗浄液は、溶媒として水を含有する。水は、イオン性の不純物を極力低減することを目的として、イオン交換水、蒸留水等を用いることが好ましい。
【００２３】
洗浄液の総質量中における水の含有率は、４０％〜８５％であることが好ましく、より好ましくは５０％〜８０％、さらに好ましくは６０％〜７５％である。
【００２４】
［グリコールエーテル］
本実施形態に係る洗浄液は、グリコールエーテルを含有することが好ましい。グリコールエーテルとしては、ジ又はトリＣ２−Ｃ４アルキレングリコールのモノアルキルエーテルが好ましい。Ｃ２−Ｃ４アルキレングリコール部分としては、エチレングリコール、プロピレングリコール、及びブチレングリコールが挙げられる。これらの中ではエチレングリコール及びプロピレングリコールが好ましく、エチレングリコールがより好ましい。モノアルキルエーテル部分のアルキルの炭素数は、通常Ｃ１−Ｃ６、好ましくはＣ１−Ｃ５、より好ましくはＣ２−Ｃ４、さらに好ましくはＣ３−Ｃ４、特に好ましくはＣ４である。
【００２５】
グリコールエーテルの具体例としては、例えば、エチレングリコールモノメチルエーテル、エチレングリコールモノエチルエーテル、ジエチレングリコールモノエチルエーテル、ジエチレングリコールモノプロピルエーテル、ジエチレングリコールモノブチルエーテル（ブチルジグリコール）、トリエチレングリコールモノメチルエーテル、トリエチレングリコールモノエチルエーテル、エチレングリコールモノアリルエーテル、エチレングリコールモノイソプロピルエーテル、ジエチレングリコールモノメチルエーテル、プロピレングリコールモノプロピルエーテル、トリエチレングリコールモノブチルエーテル等が挙げられる。これらの中ではブチルジグリコールが好ましい。
【００２６】
洗浄液の総質量中におけるグリコールエーテルの総含有率は、通常０％〜１５％であり、好ましくは０．１％〜１５％、より好ましくは０．２％〜１３％、さらに好ましくは０．５％〜１０％である。
【００２７】
［添加剤］
本実施形態に係る洗浄液は、上記式（１）で表される化合物、水、及びグリコールエーテル以外の添加剤をさらに含有していてもよい。添加剤としては、例えば、有機溶剤（ただし、グリコールエーテルを除く）、界面活性剤（ただし、上記式（１）で表される化合物を除く）、防腐剤、防黴剤、ｐＨ調整剤、キレート試薬、防錆剤、水溶性紫外線吸収剤、酸化防止剤等が挙げられる。各添加剤は、１種類を単独で使用してもよく、２種類以上を併用してもよい。
【００２８】
本実施形態に係る洗浄液の総質量中における有機溶剤（ただし、グリコールエーテルを除く）の総含有率は、通常０％〜４０％であり、好ましくは０．１％〜３５％、より好ましくは０．２％〜３０％、さらに好ましくは０．５％〜２５％である。また、本実施形態に係る洗浄液の総質量中における有機溶剤以外の添加剤の総含有量は通常０％〜３０％、好ましくは０％〜２０％、より好ましくは０％〜１０％、さらに好ましくは０％〜５％である。
【００２９】
本実施形態に係る洗浄液は、実質的に着色剤を含有しない。本明細書において「実質的に着色剤を含有しない」とは、洗浄液中に意図的に着色剤を加えないことを意味する。
【００３０】
有機溶剤としては、例えば、メタノール、エタノール、プロパノール、イソプロパノール、ブタノール、イソブタノール、第二ブタノール、第三ブタノール等の、ヒドロキシ基を１つ有するＣ１−Ｃ６アルカノール；Ｎ，Ｎ−ジメチルホルムアミド、Ｎ，Ｎ−ジメチルアセトアミド等のアミド類；２−ピロリドン、Ｎ−メチル−２−ピロリドン、Ｎ−メチルピロリジン−２−オン等のラクタム；１，３−ジメチルイミダゾリジン−２−オン、１，３−ジメチルヘキサヒドロピリミド−２−オン等の環式尿素；アセトン、２−メチル−２−ヒドロキシペンタン−４−オン、エチレンカーボネート等の、ケトン又はケトアルコール；テトラヒドロフラン、ジオキサン等の環状エーテル；エチレングリコール、ジエチレングリコール、１，２−プロピレングリコール、１，３−プロピレングリコール、１，４−ブチレングリコール、１，６−へキシレングリコール、１，２−ヘキサンジオール、１，２−ペンタンジオール、４−メチル−１，２−ペンタンジオール、３，３−ジメチル−１，２−ブタンジオール、１，２−オクタンジオール、５−メチル−１，２−ヘキサンジオール、４−メチル−１，２−ヘキサンジオール、４，４−ジメチル−１，２−ペンタンジオール、ジエチレングリコール、トリエチレングリコール、テトラエチレングリコール、ジプロピレングリコール、分子量が４００以上のポリエチレングリコール又はポリプロピレングリコール、チオジグリコール又はジチオジグリコール等の、Ｃ２−Ｃ８アルキレン単位を有するモノ、オリゴ、若しくはポリアルキレングリコール又はチオグリコール；グリセリン、ジグリセリン、ヘキサン−１，２，６−トリオール、トリメチロールプロパン等のポリオール（トリオール）；γ−ブチロラクトン、ジメチルスルホキシド；などが挙げられる。
【００３１】
界面活性剤としては、アニオン、カチオン、ノニオン、両性、シリコン系、及びフッ素系の各界面活性剤が挙げられる。これらの中ではノニオン界面活性剤が好ましい。
【００３２】
アニオン界面活性剤としては、例えば、アルキルスルホカルボン酸塩、α−オレフィンスルホン酸塩、ポリオキシエチレンアルキルエーテル酢酸塩、ポリオキシエチレンアルキルエーテル硫酸塩、Ｎ−アシルアミノ酸又はその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキシルスルホ琥珀酸塩、ジオクチルスルホ琥珀酸塩等が挙げられる。
【００３３】
カチオン界面活性剤としては、例えば、２−ビニルピリジン誘導体、ポリ４−ビニルピリジン誘導体等が挙げられる。
【００３４】
ノニオン界面活性剤としては、例えば、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル、ポリオキシエチレンジスチレン化フェニルエーテル（例えば、花王株式会社製のエマルゲン  Ａ−６０、Ａ−９０、Ａ−５００）等のエーテル系；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系；２，４，７，９−テトラメチル−５−デシン−４，７−ジオール、３，６−ジメチル−４−オクチン−３，６−ジオール、３，５−ジメチル−１−ヘキシン−３−オール等のアセチレングリコール（アルコール）系；ポリグリコールエーテル系；などが挙げられる。これらの市販品としては、例えば、日信化学株式会社のサーフィノール  １０４、１０４ＰＧ５０、８２、４２０、４４０、４６５、４８５、オルフィン  ＳＴＧ；花王株式会社製のエマルゲン  Ａ−６０、Ａ−９０、Ａ−５００等が挙げられる。
【００３５】
両性界面活性剤としては、例えば、ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体等が挙げられる。
【００３６】
シリコン系界面活性剤としては、例えば、ポリエーテル変性シロキサン、ポリエーテル変性ポリジメチルシロキサン等が挙げられる。その一例としては、エアープロダクツ社製のダイノール  ９６０、９８０；日信化学株式会社製のシルフェイス  ＳＡＧ００１、ＳＡＧ００２、ＳＡＧ００３、ＳＡＧ００５、ＳＡＧ５０３Ａ、ＳＡＧ００８、ＳＡＧ００９、ＳＡＧ０１０；及び、ビックケミー社製のＢＹＫ−３４５、３４７、３４８、３４９、３４５５、ＬＰ−Ｘ２３２８８、ＬＰ−Ｘ２３２８９、ＬＰ−Ｘ２３３４７；Ｅｖｏｎｉｃ  Ｔｅｇｏ  Ｃｈｅｍｉｅ社製のＴＥＧＯ  Ｔｗｉｎ  ４０００、ＴＥＧＯ  Ｗｅｔ  ＫＬ２４５、２５０、２６０、２６５、２７０、２８０等が挙げられる。
【００３７】
フッ素系界面活性剤としては、例えば、パーフルオロアルキルスルホン酸化合物、パーフルオロアルキルカルボン酸系化合物、パーフルオロアルキルリン酸エステル化合物、パーフルオロアルキルエチレンオキサイド付加物、及びパーフルオロアルキルエーテル基を側鎖に有するポリオキシアルキレンエーテルポリマー化合物等が挙げられる。
【００３８】
防腐剤としては、例えば、有機硫黄系、有機窒素硫黄系、有機ハロゲン系、ハロアリールスルホン系、ヨードプロパギル系、ハロアルキルチオ系、ニトリル系、ピリジン系、８−オキシキノリン系、ベンゾチアゾール系、イソチアゾリン系、ジチオール系、ピリジンオキシド系、ニトロプロパン系、有機スズ系、フェノール系、第４アンモニウム塩系、トリアジン系、チアジン系、アニリド系、アダマンタン系、ジチオカーバメイト系、ブロム化インダノン系、ベンジルブロムアセテート系、無機塩系等の化合物が挙げられる。防腐剤の市販品の具体例としては、アーチケミカル社製のプロキセルＧＸＬ（Ｓ）、ＸＬ−２（Ｓ）等が挙げられる。
【００３９】
防黴剤としては、例えば、デヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オン及びその塩等が挙げられる。
【００４０】
ｐＨ調整剤としては、調製される洗浄剤に悪影響を及ぼさずに、そのｐＨを５〜１１に調整できれば、任意の物質を使用することができる。その具体例としては、例えば、ジエタノールアミン、トリエタノールアミン、Ｎ−メチルジエタノールアミン等のアルカノールアミン；水酸化リチウム、水酸化ナトリウム、水酸化カリウム等のアルカリ金属の水酸化物；水酸化アンモニウム（アンモニア水）；炭酸リチウム、炭酸ナトリウム、炭酸水素ナトリウム、炭酸カリウム等のアルカリ金属の炭酸塩；ケイ酸ナトリウム、酢酸カリウム等の有機酸のアルカリ金属塩；リン酸二ナトリウム等の無機塩基；などが挙げられる。
【００４１】
キレート試薬としては、例えば、エチレンジアミン四酢酸二ナトリウム、ニトリロ三酢酸ナトリウム、ヒドロキシエチルエチレンジアミン三酢酸ナトリウム、ジエチレントリアミン五酢酸ナトリウム、ウラシル二酢酸ナトリウム等が挙げられる。
【００４２】
防錆剤としては、例えば、酸性亜硫酸塩、チオ硫酸ナトリウム、チオグリコール酸アンモニウム、ジイソプロピルアンモニウムナイトライト、四硝酸ペンタエリスリトール、ジシクロヘキシルアンモニウムナイトライト等が挙げられる。
【００４３】
水溶性紫外線吸収剤としては、例えば、スルホ化されたベンゾフェノン系化合物、ベンゾトリアゾ−ル系化合物、サリチル酸系化合物、桂皮酸系化合物、トリアジン系化合物等が挙げられる。
【００４４】
酸化防止剤としては、例えば、各種の有機系及び金属錯体系の褪色防止剤を使用することができる。有機系の褪色防止剤としては、例えば、ハイドロキノン類、アルコキシフェノール類、ジアルコキシフェノール類、フェノール類、アニリン類、アミン類、インダン類、クロマン類、アルコキシアニリン類、複素環類等が挙げられる。
【００４５】
本実施形態に係る洗浄液は、上述した各成分について、１種類を含有していてもよく、２種類以上を含有していてもよい。例えば、本実施形態に係る洗浄液は、上記式（１）で表される化合物として１種類の化合物を含有していてもよく、２種類以上の化合物を含有していてもよい。他の成分についても同様である。
【００４６】
［洗浄液の調製方法等］
本実施形態に係る洗浄液は、上記式（１）で表される化合物、水、並びに必要に応じてグリコールエーテル及び／又は添加剤を加え、十分に撹拌することにより得ることができる。得られた洗浄液は、狭雑物を除くために精密濾過を行ってもよい。特に、洗浄液をインクジェットヘッドに充填する場合には、洗浄液を精密濾過するのが好ましい。精密濾過には、メンブランフィルター、ガラス濾紙等を用いることができる。精密濾過を行うときのフィルター等の孔径は、通常０．５μｍ〜２０μｍであり、好ましくは０．５μｍ〜１０μｍである。
【００４７】
本実施形態に係る洗浄液の２５℃におけるｐＨは、インクジェットプリンタの部材を腐食させないため、通常ｐＨ５〜１１であり、好ましくはｐＨ７〜１０．５である。
本実施形態に係る洗浄液の２５℃における表面張力は、通常１０ｍＮ／ｍ〜５０ｍＮ／ｍであり、好ましくは２０ｍＮ／ｍ〜４０ｍＮ／ｍである。
本実施形態に係る洗浄液の２５℃における粘度は、通常３０ｍＰａ・ｓ以下であり、好ましくは２０ｍＰａ・ｓ以下、下限は０．１ｍＰａ・ｓ程度である。
【００４８】
［洗浄液の用途］
本実施形態に係る洗浄液は、各種の着色剤を含有する水系インクが固化した固形物を溶解除去する際に使用することができる。水系インクとしては、酸性染料、直接染料、反応染料等の水溶性染料を含有する水系インク；分散染料、顔料等の水不溶性着色剤を含有する水系インク；などが挙げられる。本実施形態に係る洗浄液は洗浄力が高いため、水不溶性着色剤、特に顔料を含有する水系インクが固化した固形物を溶解除去する際に使用することが好ましい。
【００４９】
＜インクジェットプリンタの洗浄方法＞
本実施形態に係るインクジェットプリンタの洗浄方法は、インクジェットプリンタに付着したインクジェットインクの固形物に対して上述した本実施形態に係る洗浄液を接触させることにより、固形物を溶解除去するものである。
【００５０】
インクジェットインクとしては、酸性染料、直接染料、反応染料等の水溶性染料を含有する水系インク；分散染料、顔料等の水不溶性着色剤を含有する水系インク；などが挙げられる。特に、本実施形態に係る洗浄液は洗浄力が高いため、水不溶性着色剤、特に顔料を含有する水系インクの固形物を溶解除去することが可能である。
【００５１】
インクジェットインクの固形物に対して本実施形態に係る洗浄液を接触させる方法は特に限定されない。例えば、洗浄液をスポンジ等に吸収させて、着色インクの固形物が付着した部分の汚れをふき取ってもよい。また、着色インクがインクジェットヘッド上で乾燥し、インクジェットヘッドの汚れが激しい場合には、着色インクの代わりに洗浄液をインクジェットヘッドに充填し、インク流路内に洗浄液を通液してもよい。このように洗浄液を通液することにより、インクジェットヘッド内、インク流路内、ノズル等に付着した着色インクの固形物を溶解除去することができる。
【００５２】
上述した全ての事項について、好ましいもの同士の組み合わせはより好ましく、より好ましいもの同士の組み合わせはさらに好ましい。好ましいものとより好ましいものとの組み合わせ、より好ましいものとさらに好ましいものとの組み合わせ等についても同様である。
【実施例】
【００５３】
以下、本発明を実施例によって具体的に説明するが、本発明は、以下の実施例に限定されるものではない。洗浄液及び着色インクの調製は、特に断りのない限り、いずれも撹拌下に行った。また、実施例中で使用した「水」は、イオン交換水である。
【００５４】
［実施例１〜２：洗浄液の調製］
下記表１に記載の各成分を混合して、それぞれ総量１００部の液を得た後、得られた液を孔径３μｍのメンブランフィルターで濾過することにより、実施例１〜２の洗浄液を得た。
【００５５】
［比較例１〜６：比較用の洗浄液の調製］
下記表１に記載の各成分を使用する以外は実施例１〜２と同様にして、比較例１〜６の比較用の洗浄液を得た。
【００５６】
下記表１中の略号等は、以下の意味を有する。また、表１中の数値は「部」である。
Ｇｌｙ：グリセリン
２Ｐｙ：２−ピロリドン
ＢＤＧ：ブチルジグリコール
ＳＮ４６５：日信化学株式会社製ノニオン界面活性剤、サーフィノール  ４６５
ＥＰ−７０２５：株式会社日本触媒製ノニオン界面活性剤、ソフタノール  ＥＰ−７０２５
ＬＳ−１０６：花王株式会社製ノニオン界面活性剤、エマルゲン  ＬＳ−１０６
Ｄ−１５０２：竹本油脂株式会社製ノニオン界面活性剤、パイオニン  Ｄ−１５０２
Ｄ−１３０５Ｐ：竹本油脂株式会社製ノニオン界面活性剤、パイオニン  Ｄ−１３０５Ｐ
ＴＷ５００：ＥＶＯＮＩＣ社製ノニオン界面活性剤、ＴＥＧＯ  Ｗｅｔ  ５００
ＴＷ５１０：ＥＶＯＮＩＣ社製ノニオン界面活性剤、ＴＥＧＯ  Ｗｅｔ  ５１０
ＴＥＡ：トリエタノールアミン
ＧＸＬ（Ｓ）：プロキセルＧＸＬ（Ｓ）
【００５７】
【表１】
2019195998.tif 000004
【００５８】
［調製例１：樹脂Ａの調製］
ジョンクリル６７８（質量平均分子量：８５００）（２５部）及びトリエタノールアミン（１４．３部）をイオン交換水（６０．７部）に溶解し、１時間撹拌して溶液を得た。得られた溶液を「樹脂Ａ」とする。
【００５９】
［調製例２：着色分散液の調製］
国際公開第２０１３／１１５０７１号の合成例３に記載のブロック共重合体を調製し、得られた高分子分散剤（５部）を２−ブタノン（２０部）に溶解し、均一な溶液とした。この溶液に、水酸化ナトリウム（０．４部）を水（５０．６部）に溶解した液を加え、さらに樹脂Ａ（４部）を添加した後、１時間撹拌して乳化液を得た。この乳化液にＣ．Ｉ．Ｐｉｇｍｅｎｔ  Ｙｅｌｌｏｗ  ７４（クラリアント社製ＨＡＮＳＡ  ＹＥＬＬＯＷ  ５ＧＸ  ０１−ＪＰ）（２５部）を加え、１５００ｒｐｍの条件下で１５時間、サンドグラインダー中で分散処理を行って液を得た。得られた液に水（１００部）を滴下した後、この液を濾過して濾液を得た。得られた濾液から、エバポレータで２−ブタノン及び水の一部を減圧留去することにより、顔料含有量が１２．４％の着色分散液を得た。
なお、着色分散液中の顔料含有量は、株式会社エイ・アンド・デイ製、ＭＳ−７０を用いて、乾燥重量法により、液中の全固形分から顔料含有量の換算値として求めた。
【００６０】
［調製例３：樹脂Ｂの調製］
国際公開第２０１５／１４７１９２号の調製例４を追試することにより、酸価が６ＫＯＨｍｇ／ｇ、ガラス転移温度が０℃、固形分が２５％の樹脂エマルションを調製した。この樹脂エマルションを「樹脂Ｂ」とする。
【００６１】
［調製例４：着色インクの調製］
下記表２に記載の各成分を混合して総量１００部の液を得た後、得られた液を孔径３μｍのメンブランフィルターで濾過することにより、洗浄液の洗浄力の評価に用いる着色インクを得た。
【００６２】
下記表２中の略号等は、以下の意味を有する。また、下記表２中の数値は「部」である。
着色分散液：調製例２の着色分散液
ＴＥＧ：トリエチレングリコール
１，２ＨＤ：１，２−ヘキサンジオール
ＳＮ４６５：日信化学株式会社製ノニオン界面活性剤、サーフィノール  ４６５
ＡＱ５１５：ビックケミー社製ポリエチレンワックス、ＡＱＵＡＣＥＲ  ５１５（固形分：３５．０％）
【００６３】
【表２】
2019195998.tif 000005
【００６４】
［洗浄液の安定性試験]
実施例１〜２及び比較例１〜６の各洗浄液を室温で１２時間静置した後、洗浄液の状態を目視で観察し、その安定性を評価した。評価基準は以下の２段階とした。評価結果を下記表３に示す。
−評価基準−
Ａ：洗浄液の状態に変化はなかった。
Ｃ：洗浄液から分離した液状成分が、洗浄液の表面に浮いているのが観察された。
【００６５】
［洗浄液の洗浄性の試験]
調製例４で得た着色インクをガラスシャーレ上に２０μＬ滴下し、６０℃の恒温槽に１時間静置して乾燥させることにより、着色インクが固化した固形物を得た。得られた固形物に実施例１〜２及び比較例１〜６の各洗浄液を１０ｍＬ滴下し、固形物を溶解できるか否かを目視で評価した。評価基準は以下の４段階とした。評価結果を下記表３に示す。
−評価基準−
Ａ：固形物の残存が認められず、均一な液となった。
Ｂ：わずかに固形物の残存が認められるが、ほぼ均一な液となった。
Ｃ：明らかに固形物が残存し、均一な液とは認められなかった。
Ｄ：固形物の形状が全く変化しなかったか、又はほとんど変化しなかった。
【００６６】
【表３】
2019195998.tif 000006
【００６７】
表３の結果から明らかなように、実施例１〜２の洗浄液は、比較例１〜６の洗浄液と比較して、洗浄性に優れることが確認された。